(57)【要約】      （修正有）【課題】操作ロッドを下降させることで、枠体の床面との固定と、扉体の密閉部材の下降とを連動して行える機構を備えた耐久性の高い扉体付き移動式間仕切パネルを提供する。【解決手段】空間を仕切る複数の間仕切パネルの少なくとも一つは、枠体に扉体が回動可能に取付けられており、枠体は上下動可能に配設される操作ロッドとしての下部棒、落し棒、摺動杆を降下させることで、扉体が備える押圧部を押圧し、扉体下部の密閉部材１２を下降させるようになっている。枠体は、押圧部と操作ロッドとしての下部棒、落し棒、摺動杆の間に変換部材を備え、変換部材は、操作ロッドとしての下部棒、落し棒、摺動杆に傾斜状態で摺接される摺接面と、押圧部に当接可能な当接面としてのラバーキャップと、を備えている。【選択図】図１
2020105852.tif 000002
【特許請求の範囲】
【請求項１】
天井に設けられる誘導路に吊支部材を介して吊支され、該誘導路に沿って移動可能であり、連接されることで空間を仕切る複数の間仕切パネルの少なくとも一つは、枠体に扉体が回動可能に取付けられており、前記枠体は上下動可能に配設される操作ロッドを備え、前記操作ロッドを降下させることで、前記扉体が備える押圧部を押圧し、前記扉体下部の密閉部材を下降させるようになっている扉体付き移動式間仕切パネルであって、
前記枠体は、前記押圧部と前記操作ロッドの間に変換部材を備え、
前記変換部材は、前記操作ロッドに傾斜状態で摺接される摺接面と、前記押圧部に当接可能な当接面と、を備えていることを特徴とする扉体付き移動式間仕切パネル。
【請求項２】
前記変換部材の一端は、前記枠体に揺動可能に軸支されており、前記変換部材の他端側は、前記押圧部に対峙されるように配設されていることを特徴とする請求項１に記載の扉体付き移動式間仕切パネル。
【請求項３】
前記変換部材の摺接面が、前記操作ロッドの動作方向に対して、４５度以下に設定されていることを特徴とする請求項１または２に記載の扉体付き移動式間仕切パネル。
【請求項４】
前記摺接面の傾斜状態は、前記操作ロッドの動作方向に対して、４５度以下の所定の角度から０度の角度まで漸次変化されることを特徴とする請求項１ないし３のいずれかに記載の扉体付き移動式間仕切パネル。
【請求項５】
前記操作ロッドの下端は、床面に設けられた穴に挿通されるフランス落しであることを特徴とする請求項１ないし４のいずれかに記載の扉体付き移動式間仕切パネル。
【請求項６】
前記操作ロッドの傾斜面が、前記操作ロッドの動作方向に対して、４５度以下に傾斜されていることを特徴とする請求項１または２に記載の扉体付き移動式間仕切パネル。
【発明の詳細な説明】
【技術分野】
【０００１】
本発明は、移動間仕切装置に係り、特に扉体付き間仕切りパネルを備える移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような移動間仕切装置にあっては、所定の位置に扉体付き間仕切りパネルが用いられることで、仕切られた２つの空間の間を往来可能にしたものが知られている（特許文献１参照）。
【０００３】
特許文献１に示される扉体付き間仕切りパネルは、倒立Ｌ字状の枠体と、該枠体に蝶番によって取着された扉体と、を備え、該枠体の縦枠部には、操作ロッドが垂直にガイドされて上下動可能な状態に取り付けられている。操作ロッドの上下動に応じて枠体の下部に配設された密閉部材が床面に向けて昇降するようになっており、枠体を床面に固定する際は、操作ロッドを下降させ密閉部材を床面に圧接させることで固定するようになっている。
【０００４】
また、操作ロッドには略三角形状のリンクが軸支されて取り付けられており、さらに該リンクの一端が枠体に軸支されて取り付けられており、リンクの他の一端には水平に延びる連接棒が軸支されて取り付けられている。リンクは、操作ロッドの上下動に伴い、枠体に軸支されている軸を中心に回転することで、連接棒を水平方向に進退させるようになっている。すなわち、操作ロッドに取り付けられたリンクが、操作ロッドの上下動を水平方向への運動に変換させるようになっている。よって、操作ロッドの下降時に枠体の密閉部材を下降させ床面に圧接させるとともに、連接棒を扉体方向へ突出させ、扉体から水平方向に突出された押圧部を押圧させることで、扉体下部に配設された密閉部材を下降させるようになっている。
【先行技術文献】
【特許文献】
【０００５】
【特許文献１】実願平１−１２７５１４号（実開平０３−０６６３７６号）のマイクロフィルム（第５〜９頁、第２図）
【発明の概要】
【発明が解決しようとする課題】
【０００６】
このように特許文献１に示された扉体付き間仕切りパネルは、操作ロッドを下降させる一つの動きで、枠体の密閉部材を下降させ枠体を床面と固定させるとともに、扉体の密閉部材も下降させることから、扉体付き間仕切りパネルを容易に固定しつつ密閉性を高めることができるようになっている。しかしながら、特許文献１にあっては、リンクが、枠体、操作ロッド、連接棒と多くの軸支箇所を有するリンク機構であることから、操作ロッドを上昇ないし下降させる際にはそれぞれの軸支箇所に集中して負荷が掛かることになり、長年の使用によりリンクや軸等のリンク機構が破損してしまう虞があった。
【０００７】
本発明は、このような問題点に着目してなされたもので、操作ロッドを下降させることで、枠体の床面との固定と、扉体の密閉部材の下降とを連動して行える機構を備えた耐久性の高い扉体付き移動式間仕切パネルを提供することを目的とする。
【課題を解決するための手段】
【０００８】
前記課題を解決するために、本発明の扉体付き移動式間仕切パネルは、
天井に設けられる誘導路に吊支部材を介して吊支され、該誘導路に沿って移動可能であり、連接されることで空間を仕切る複数の間仕切パネルの少なくとも一つは、枠体に扉体が回動可能に取付けられており、前記枠体は上下動可能に配設される操作ロッドを備え、前記操作ロッドを降下させることで、前記扉体が備える押圧部を押圧し、前記扉体下部の密閉部材を下降させるようになっている扉体付き移動式間仕切パネルであって、
前記枠体は、前記押圧部と前記操作ロッドの間に変換部材を備え、
前記変換部材は、前記操作ロッドに傾斜状態で摺接される摺接面と、前記押圧部に当接可能な当接面と、を備えていることを特徴としている。
この特徴によれば、操作ロッドの上下動が、傾斜状態の摺接面に操作ロッドが摺接し、変換部材が水平方向に移動され、当接面を押圧部に当接させるので、操作ロッドと変換部材がそれぞれ拘束されない状態で移動でき、繰り返し使用されても変換部材の一部に負荷が集中し難いことから、操作ロッドを下降させることで、枠体の床面との固定と、扉体の密閉部材も下降とを連動して行いつつ、耐久性の高い扉体付き移動式間仕切パネルを提供することができる。
【０００９】
前記変換部材の一端は、前記枠体に揺動可能に軸支されており、前記変換部材の他端側は、前記押圧部に対峙されるように配設されていることを特徴としている。
この特徴によれば、操作ロッドの上下の移動量を利用して他端側の左右の動き幅を増幅できる。
【００１０】
前記変換部材の摺接面が、前記操作ロッドの動作方向に対して、４５度以下に設定されている。
この特徴によれば、操作ロッドの上下動を左右方向に変換させる効率が良く、操作性が良い。
【００１１】
前記摺接面の傾斜状態は、前記操作ロッドの動作方向に対して、４５度以下の所定の角度から０度の角度まで漸次変化されるようになっている。
この特徴によれば、変換部材の摺接面が操作ロッドによって摺接され０度になると、以降は操作ロッドに摺接されても変換部材の角度が変化しないので、変換部材の他端側の扉体側への過侵入を防止できる。
【００１２】
前記操作ロッドの下端は、床面に設けられた穴に挿通されるフランス落しであることを特徴としている。
この特徴によれば、操作ロッドを下降させることで枠体と床面を強固に固定させることができる。
【００１３】
前記操作ロッドの傾斜面が、前記操作ロッドの動作方向に対して、４５度以下に傾斜されていることを特徴としている。
この特徴によれば、変換部材に対してスムーズに当接でき、変換部材を左右へ揺動させることができる。
【図面の簡単な説明】
【００１４】
【図１】本発明の実施例１における移動間仕切装置を示す正面図である。
【図２】実施例１における移動間仕切装置の間仕切パネルの構造を示す分解斜視図である。
【図３】カバー部材を一部切欠いて扉体付き移動式間仕切パネルの構造を示す分解斜視図である。
【図４】枠体と扉体とを連結するギアヒンジの平面図であり、（ａ）は閉扉状態、（ｂ）は開扉状態を示す図である。
【図５】枠体骨組とリンク機構とを示す斜視図である。
【図６】枠体骨組とリンク機構とを示す分解斜視図である。
【図７】リンク機構の動作を示す正面図であり、（ａ）は扉体付き移動式間仕切パネルをレールに沿って移動させる際の状態、（ｂ）は扉体付き移動式間仕切パネルを床面に立設させる際の状態を示す図である。
【図８】摺動杆と変換部材とを示す斜視図である。プレート部材の動作を示す正面図であり、（ａ）は扉体付き移動式間仕切パネルをレールに沿って移動させる際の状態、（ｂ）は扉体付き移動式間仕切パネルを床面に立設させる際の状態を示す図である。
【図９】下部棒及び落し棒を下降させ、枠体及び扉体の下部閉塞部材を昇降させる態様を示す正面図であり、（ａ）は下部棒及び落し棒を上昇させた状態を示し、（ｂ）は下部棒及び落し棒を下降させた状態を示す図である。
【図１０】下部棒及び落し棒を下降させ、枠体及び扉体の下部閉塞部材を下降させる態様を示す部分拡大図であり、（ａ）は下部棒及び落し棒を上昇させた状態を示し、（ｂ）は下部棒及び落し棒を僅かに下降させた状態を示し、（ｃ）は下部棒及び落し棒を（ｂ）より更に降下させた状態を示し、（ｄ）は下部棒及び落し棒を完全に降下させた状態を示す図である。
【図１１】扉体が枠体に対して開閉される際の押圧部の態様を示す上面図であり、（ａ）は、扉体が閉状態の押圧部の態様を示し、（ｂ）は扉体が開状態の押圧部の態様を示す図である。
【発明を実施するための形態】
【００１５】
本発明に係る扉体付き移動式間仕切パネルを実施するための形態を実施例に基づいて以下に説明する。
【実施例１】
【００１６】
実施例１に係る扉体付き移動式間仕切パネルにつき、図１から図１０を参照して説明する。以下、図１の紙面手前側及び図９の紙面左側を扉体付き移動式間仕切パネルの前方側とし、その前方側から見たときの上下左右方向を基準として説明する。
【００１７】
移動間仕切装置１０は、例えば、オフィス、会議室、ショールーム、店舗等の建物内の室内を所定の区画に仕切るために用いられるものであり、図１に示されるように、本実施例では、扉体付き移動式間仕切パネル１及び複数の間仕切パネル１０１，１０１，…を組み合わせて構成されている。
【００１８】
各扉体付き移動式間仕切パネル１及び複数の間仕切パネル１０１，１０１，…は、室内空間の天井面Ｒ（天井）に設けられるレール３（誘導路）に沿って移動可能な一対の吊支部材９，９により上端が吊支されており、扉体付き移動式間仕切パネル１及び間仕切パネル１０１，１０１，…をレール３に沿って所定の位置まで手動で順次移動させ、扉体付き移動式間仕切パネル１及び間仕切パネル１０１，１０１，…を左右方向（進行方向）に一列に連接させることで天井面Ｒから床面Ｆに亘って室内空間を仕切ることができるようになっている。また、後述する上部閉塞部材１１１，１１１及び下部閉塞部材１１２，１１２がレール３及び床面Ｆに向けて押し付けられることにより音や光の漏れの閉塞性が高められている。
【００１９】
間仕切パネル１０１について、図２を用いて説明する。間仕切パネル１０１は、前後に間隔をおいて対向配置される一対のガラスパネル１０４，１０４と、ガラスパネル１０４，１０４を一体に保持する四方枠形状の枠部材１０５（上部フレーム１０６、縦フレーム１０７，１０７及び下部フレーム１０８）と、上部フレーム１０６及び下部フレーム１０８に収納される上部閉塞部材１１１及び下部閉塞部材１１２と、上部閉塞部材１１１及び下部閉塞部材１１２を進退動作させる図示しない上部進退機構及び下部進退機構と、から主に構成される二重ガラスパネル構造を成し、パネル材として透明のガラスパネル１０４が使用されることにより、間仕切パネル１０１によって仕切られる室内空間の開放感を演出することができるとともに、強度や遮音性に優れている。尚、本実施例では、ガラスパネル１０４，１０４と枠部材１０５とが一体化されてパネル本体１２０を構成しており、上部閉塞部材１１１または下部閉塞部材１１２とそれぞれに対応する各進退機構とが収納されている。さらに尚、ガラスパネル１０４，１０４は、透明度の高いポリカーボネートやアクリル樹脂製を使用してもよい。
【００２０】
枠部材１０５の構造について、図２に示されるように、縦フレーム１０７は、間仕切パネル１０１の上下方向に延びる芯部材１７１が前後面において上下方向に延びる被覆部材１７０に被覆されて構成され、左右方向に厚みを有する板状をなし、ガラスパネル１０４，１０４の間に配設されている。被覆部材１７０は、アルミ合金等の金属製の押出成形品であり、芯部材１７１は、左右方向に厚みを有する鋼製の板材である。
【００２１】
枠部材１０５は、剛性の高い鋼製の上部芯部材１６３と芯部材１７１とがＬ字状に連結されることにより、上部フレーム１０６と縦フレーム１０７との連結構造の構造強度を確保されている。また、ガラスパネル１０４，１０４は図示しない透明な両面テープにより縦フレーム１０７，１０７に固着されており、ガラスパネル１０４，１０４の荷重を上部芯部材１６３，１６３及び芯部材１７１，１７１により支持し、上部芯部材１６３，１６３の上部に取着された吊支部材１０９により間仕切パネル１０１を吊支している。
【００２２】
また、縦フレーム１０７，１０７の左または右側部には、それぞれ側部カバー部材１７６，１７７が取付けられている。隣接した間仕切パネル１０１，１０１が左右方向に連設される際には、側部カバー部材１７６，１７７同士が直接接触するため、ガラスパネル１０４，１０４の左右両側端面を保護できるようになっている。尚、左側の側部カバー部材１７６は、右側に凹む凹嵌合部１７６ａが形成されており、右側の側部カバー部材１７７は、凹嵌合部１７６ａに嵌合可能な形状の凸嵌合部１７７ａが形成されている。
【００２３】
扉体付き移動式間仕切パネル１について説明する。実施例１では扉体付き移動式間仕切パネル１は、壁Ｗ（図１参照）に左右方向に押し当てられた状態で立設して用いられる例について説明している。図３を参照し、扉体付き移動式間仕切パネル１は、倒立Ｌ字状を成す枠体２と、該枠体２に後述するギアヒンジ５によって回動可能に取付けられる扉体７と、を備えている。扉体７は、前後一対のガラスパネル７１，７１と、前後一対のガラスパネル７１，７１を一体に保持する四方枠形状の枠部材７２（上部フレーム７３、縦フレーム７４，７４及び下部フレーム７５）と、を備える二重ガラスパネル構造を成している。上部フレーム７３の上面の右端部には、後述するプレート部材８２（図５，６参照）が挿入して該プレート部材８２と係合する係合溝７３ａが形成されている。下部フレーム７５には、下部閉塞部材１２と、該下部閉塞部材１２を進退動作させる後述する下部進退機構とが収納されている。尚、扉体７について間仕切パネル１０１と類似する部材については、特に断らない限り、詳細な説明を省略する。
【００２４】
図４（ａ）に示されるように、ギアヒンジ５は２つのギア付き取付板５１，５１を備え、該２つのギア付き取付板５１，５１はそれぞれ枠体２と扉体７とに固定されている。具体的には、一方のギア付き取付板５１は、スペーサ２６及び被覆部材２７を介して枠体２内側の縦角管２５ｂ（図５参照）に取付けられており、他方のギア付き取付板５１は、第一被覆部材７４ａ、第一芯部材７４ｂ、スペーサ７４ｃ、第二被覆部材７４ｄ及び第二芯部材７４ｅを備える扉体７の縦フレーム７４に取付けられる。ギアヒンジ５は、扉体７の上下端部に亘って上下に延びて配置される長蝶番である（図３参照）。また、扉体７を紙面反時計回りに回動させることで、扉体７が１８０度開扉した状態にできる（図４（ｂ）参照）。尚、ギアヒンジ５以外の形態の蝶番を用いてもよい。
【００２５】
図５を参照して、枠体２は、枠体骨組２３にカバー部材２１（図３参照。）が取付けられて構成されている。枠体骨組２３は略同一平面上に２本略平行して並ぶ横角管２４ａ，２４ｂと、２本略平行して並ぶ縦角管２５ａ，２５ｂと、横チャンネル材２５ｅと、により主に構成される。外側の縦角管２５ａの上端は、上側の横角管２４ａの下面に当接して溶接固定されている。内側の縦角管２５ｂの上端は、上側の横角管２４ａの下面と略直角を成すように当接して溶接固定されている。下側の横角管２４ｂの左端は、内側の縦角管２５ｂの右面と略直角を成すように当接して溶接固定されている。また、内側の縦角管２５ｂには扉体７がギアヒンジ５（図４参照）により取着されている。
【００２６】
図５，６を参照して、２本の横角管２４ａ，２４ｂの間にはスペーサ２４ｃが配置されており、該スペーサ２４ｃは２本の横角管２４ａ，２４ｂに溶接固定されている。２本の横角管２４ａ，２４ｂの間かつ左右中間には支点部材２４ｄが配置されており、該支点部材２４ｄは２本の横角管２４ａ，２４ｂに溶接固定されている。２本の横角管２４ａ，２４ｂの右端には上下に伸びる角管でできた縦チャンネル材２４ｆの左面と当接して溶接固定されている。２本の縦角管２５ａ，２５ｂの間には３つのガイド部材２５ｃ，２５ｃ，２５ｃと３つのハット部材２５ｄ，２５ｄ，２５ｄとが配置されており、これらの部材は２本の横角管２４ａ，２４ｂに溶接固定されている。２本の縦角管２５ａ，２５ｂの間かつ下端部には、下向きコ字状で頭部に上下に貫通する孔が形成され枠体骨組２３の下端を補強する横チャンネル材２５ｅが溶接固定されている。また、下側の横角管２４ｂの右端部には、上下に貫通するスリット２４ｅが形成されている。
【００２７】
図３に戻って、枠体２の前面、側面及び後面には正面視倒立Ｌ字状のカバー部材２１が図示しない固定手段により枠体骨組２３（図５参照）に固定されている。枠体骨組２３の上側の横角管２４ａの上端には上向きコ字状の上部フレーム６が溶接固定されており、吊支部材９，９が上側の横角管２４ａに取付けられている。また、該上部フレーム６には上部閉塞部材１１と、該上部閉塞部材１１を進退動作させる図示しない上部進退機構とが収納されている。また、枠体２の横チャンネル材２５ｅの下端部には下部閉塞部材１３と、該下部閉塞部材１３を進退動作させる後述する下部進退機構とが収納されている。
【００２８】
図５，６を参照して、枠体骨組２３にはリンク機構８が組込まれており、該リンク機構８は、左右に延び２本の横角管２４ａ，２４ｂの前後外側部にある一対の揺動部材８１，８１と、上下に延び２本の縦角管２５ａ，２５ｂの間かつ前後内側部にあるバー部材８３と、を備える。一対の揺動部材８１，８１は、その左右中間部において支点部材２４ｄに軸支されており、その右端部において正面視略釣鐘型を成すプレート部材８２を前後に延びる軸８２ａによって回動自在に軸支され、その下端は左右方向に揺動可能となっている。プレート部材８２は、下側の横角管２４ｂに形成されたスリット２４ｅに挿通しており、係合溝７３ａ（図３参照）に係合することで扉体７の回動を規制することができる。尚、揺動部材８１は長尺の板状を成す。
【００２９】
バー部材８３は、上部板８４と、中部板８５と、下部棒８６とが連結して構成されている。中部板８５にはリンク機構操作部８７（前面板８７Ａ、回転駆動部８７Ｂ及び後面板８７Ｃ）が装着されており、前面板８７Ａ及び後面板８７Ｃが２本の縦角管２５ａ，２５ｂに固定され、中部板８５に形成された左右方向に長い長孔８５ａにリンク機構操作部８７の突起８７ａが遊嵌されている（図７参照）。下部棒８６の下端部に取着された落し棒８６ａは、床面Ｆに設置されたフランス落し用の受け具８６ｂに挿入して係合することで、枠体２を床面Ｆに対して安定して固定させることができる。
【００３０】
リンク機構８の動作について説明する。図７（ａ）は、扉体付き移動式間仕切パネル１をレール３に沿って移動させる際の状態を示している。
図示しないクランクハンドルにより回転駆動部８７Ｂの突起８７ａを０時の位置に合わせると、中部板８５が上がり、バー部材８３が一体として上がるため、落し棒８６ａが受け具８６ｂとの係合状態が解除される。同時に、一対の揺動部材８１，８１の左端部が上がり右端部が下がるため、プレート部材８２が下がり、係合溝７３ａ（図３参照）に係合する。
【００３１】
また、図７（ｂ）は、扉体付き移動式間仕切パネル１を床面Ｆに立設させる際の状態を示している。このとき、扉体付き移動式間仕切パネル１を壁Ｗ（図１参照）に当接するまで移動させた状態で床面Ｆに固定させる。図示しないクランクハンドルにより回転駆動部８７Ｂの突起８７ａを６時の位置に回すと、中部板８５が下がり、バー部材８３が一体として下がるため、落し棒８６ａが受け具８６ｂに挿入して係合する。同時に、一対の揺動部材８１，８１の左端部が下がり右端部が上がるため、プレート部材８２が上がり、係合溝７３ａ（図３参照）との係合状態が解除される。
【００３２】
図８を参照し、摺動杆８８は、角柱状に形成された硬材の右側面側下端に、水平に突出する一対の突部８８ｄ，８８ｄが一体形成されており、正面視略Ｌ字状に形成されている。摺動杆８８には右側の鉛直面８８ｂから左側の鉛直面まで貫通する貫通孔８８ａ，８８ａが形成され、貫通孔８８ａ，８８ａには頭有ネジ８８ｇ，８８ｇがそれぞれ挿通され、下部棒８６の長手方向に平行かつ扉体７側に取り付けられる。（図９参照）
【００３３】
摺動杆８８の鉛直面８８ｂ側の下方には、内方側すなわち左方側に凹むスリット部８８ｅが形成されている。スリット部８８ｅは、内方側に凹む傾斜面８８ｃと、突部８８ｄの内側平面８８ｆ，８８ｆと、により区画されており、一方側の内側平面８８ｆから他方側の内側平面８８ｆまでの長さａは、後述する変換部材８９の一方側の内側平面８９ｄから他方側の内側平面８９ｄまでの長さｂよりも、僅かに幅広となっている。（ａ＞ｂ）そのため、スリット部８８ｅ内に変換部材８９を進入させることができる。また、変換部材８９の前後方向の動きをスリット部８８ｅを区画する内側平面８８ｆ，８８ｆが規制するようになっている。
【００３４】
変換部材８９は、角柱状に形成された硬材の右側面下端側にラバーキャップ８９ｃが取り付けられており、前後の内側平面８９ｄ，８９ｄの上端側に前後方向に貫通する貫通孔８９ａが形成されている。貫通孔８９ａには軸９２が挿通されるとともに軸９２の両端は縦角管２５ｂの前後板部に取付固定されることで、変換部材８９は縦角管２５ｂ内で扉体７の方向へ揺動可能に配設されている。また、変換部材８９のラバーキャップ８９ｃが取り付けられる反対側の左側の平坦な摺接面８９ｂは、摺動杆８８の平坦な傾斜面８８ｃ，鉛直面８８ｂに当接可能となっている。
【００３５】
図９（ａ），（ｂ）を参照して、回転駆動部８７Ｂ（図７参照）を操作し、下部棒８６及び落し棒８６ａを降下させ、枠体２の下部閉塞部材１３と扉体７の下部閉塞部材１２を床面Ｆに降下させ、落し棒８６ａを受け具８６ｂに挿通させる態様を説明する。
【００３６】
図９（ａ）に示されるように、下部棒８６及び落し棒８６ａが上昇されている状態においては、縦角管２５ｂの下方の下部棒８６側にスリット部（図６参照）が形成されていることから、摺動杆８８は、頭有ネジ８８ｇ，８８ｇを下部棒８６に連結させた状態で、縦角管２５ｂ内において下部棒８６の降下に従動されるようになっている。
【００３７】
扉体７の下部フレーム７５には、下部閉塞部材１２と、該下部閉塞部材１２を進退動作させる下部進退機構としての板バネ７６ａと、該板バネ７６ａに連結され下部閉塞部材１２を枢支する枢支機構７６ｄと、枠体２側の板バネ７６ａの端部と連結された付勢機構７６ｂと、付勢機構７６の枠体２側に付勢機構７６に対して水平方向から入出可能に接続されるロッド状の押圧部７６ｃと、が備えられている。図９（ａ）のように、下部棒８６及び落し棒８６ａが上昇されている場合においては、板バネ７６ａが左右に伸びた自然状態となっており、付勢機構７６ｂに接続されている押圧部７６ｃが枠体２側への付勢力を受けて変換部材８９のラバーキャップ８９ｃを押圧し、変換部材８９を下部棒８６及び落し棒８６ａの操作方向に対して４０度の所定角度θ１に傾斜させるようになっている。
【００３８】
図９（ｂ）に示されるように、下部棒８６及び落し棒８６ａが降下されている状態においては、下部棒８６及び落し棒８６ａが降下されることに伴い、下部棒８６に外嵌固定されたリング部材９１が図示しないスプリングを備えた調整器９０を下方へ移動させ、該調整器９０の下端に取り付けられている枠体２の下方に開放する横チャンネル材２５ｅ内に備えられた下部閉塞部材１３を床面Ｆに圧接させるようになっている。下降された落し棒８６ａの先端は、床面Ｆに穿設された穴に配設された落し棒８６ａとともにフランス落しを構成する受け具８６ｂに嵌挿される。
【００３９】
また、下部棒８６及び落し棒８６ａが降下されることに伴い、下部棒８６に連結された摺動杆８８も降下されることになる。所定角度θ１に傾斜されていた変換部材８９は、摺動杆８８の鉛直面８８ｂに摺接することで揺動し、その傾斜角度が０度に近づくようになる。揺動された変換部材８９は、ラバーキャップ８９ｃが水平方向に移動されることで、扉体７側の押圧部７６ｃを右方へ押圧するようになる。押圧された押圧部７６ｃは、付勢機構７６ｂ内において板バネ７６ａの端部を押圧し、板バネ７６ａは付勢力を受けて下方に向けて撓むようになる。板バネ７６ａが下方に向けて撓むことにより、板バネ７６ａの略中央部に取り付けられた枢支機構７６ｄと該枢支機構７６ｄに枢支された下部閉塞部材１２が床面Ｆに向けて降下されるようになっている。
【００４０】
図１０（ａ）〜（ｄ）を参照して摺動杆８８と変換部材８９の動作を詳しく説明する。図１０（ａ）に示される、下部棒８６及び落し棒８６ａが上昇されている状態においては、摺動杆８８の鉛直面８８ｂと傾斜面８８ｃとの境界線８８ｈ（図８参照）は変換部材８９の回動中心よりもＣ１だけ上方に位置しており、変換部材８９は、押圧部７６ｃに押圧されて所定角度θ１に傾斜している。
【００４１】
このように、境界線８８ｈ（図８参照）は変換部材８９の回動中心よりもＣ１だけ上方に位置しているので、傾斜面８８ｃに変換部材８９の摺接面８９ｂを確実に面当接させて変換部材８９を位置規制することができるようになっている。
【００４２】
図１０（ａ）の状態から、下部棒８６及び落し棒８６ａを降下させると、摺動杆８８が下降されることによって、摺動杆８８の境界線８８ｈが変換部材８９の回動中心に一致した後に、変換部材８９の摺接面８９ｂが摺動杆８８の傾斜面８８ｃから離れ、摺動杆８８の鉛直面８８ｂの下端と変換部材８９の摺接面８９ｂの上方側が摺動し、変換部材８９は扉体７側へ揺動され、図１０（ｂ）に示される摺動杆８８の境界線８８ｈが変換部材８９の回動中心よりもＣ２だけ下方に位置した状態となる。このとき、ラバーキャップ８９ｃが右方に移動されることで押圧部７６ｃは右方に押圧される。
【００４３】
図１０（ｂ）の状態から更に、下部棒８６及び落し棒８６ａを降下させ、摺動杆８８の境界線８８ｈが変換部材８９の回動中心よりもＣ３だけ下方に位置（Ｃ３＞Ｃ２）すると、図１０（ｃ）に示されるように、摺動杆８８の鉛直面８８ｂと変換部材８９の摺接面８９ｂとが平行となり、変換部材８９が鉛直状態になる。変換部材８９が備えるラバーキャップ８９ｃが押圧部７６ｃを押圧し、扉体７の下部閉塞部材１２を降下させることで、扉体７下部の閉塞が完了する。
【００４４】
図１０（ｃ）の状態から更に、下部棒８６及び落し棒８６ａを降下させると、図１０（ｄ）に示されるように摺動杆８８の境界線８８ｈが変換部材８９の回動中心よりもＣ４だけ下方に位置（Ｃ４＞Ｃ３）し、落し棒８６ａが、床面Ｆに穿設された穴に配設された受け具８６ｂに所定量以上貫通した状態となり、受け具８６ｂに確実に係合されるとともに枠体２の下部閉塞部材１３が床面Ｆに所定の押圧力で当接する。このようにして、枠体２下部の閉塞とフランス落しが完了する。
【００４５】
図１０（ｃ）において、摺動杆８８の鉛直面８８ｂに変換部材８９の摺接面８９ｂが摺接されたことで、鉛直状態になっている変換部材８９は、以降、下部棒８６及び落し棒８６ａを降下させても、摺動杆８８の鉛直面８８ｂが鉛直に形成されているので、摺接面８９ｂに摺接されるだけで傾斜や揺動は生じないようになっており、すなわち図１０（ｃ）から図１０（ｄ）にかけては扉体７の下部閉塞部材１２はその位置を保つようになっている。このように、摺動杆８８と変換部材８９がそれぞれ独立して動作可能となっており、下部棒８６及び落し棒８６ａの落し代に比例しない変換部材８９の揺動を可能としているので、変換部材８９の備えるラバーキャップ８９ｃが扉体７側に過剰に侵入することを防止できるようになっている。
【００４６】
次に扉体７の開閉について図１１を参照して説明する。なお、図１１においては説明の便宜上、ギアヒンジ５を二点破線で示すとともに、縦角管２５ｂの扉体７側を切り欠いて示している。
【００４７】
図１１（ａ）に示されるように、扉体７及び扉体７に連結されたギアヒンジ５が閉状態の場合、付勢機構７６ｂ（図９参照）から左方への付勢力を受ける押圧部７６ｃは、枠体２側の変換部材８９が備えるラバーキャップ８９ｃに圧接しているので、扉体７の下部閉塞部材１２は床面Ｆに当接している状態となっており、音や光の漏れを防ぐようになっている。（図１０（ｄ）と同じ状態）
【００４８】
図１１（ａ）に示されるように、扉体７及び扉体７に連結されたギアヒンジ５が開状態にされると、ギアヒンジ５を中心に反時計周りに開放される扉体７の開放代に応じて、漸次、付勢機構７６ｂから左方への付勢力を受ける押圧部７６ｃが左方に突出する。押圧部７６ｃが左方に突出されるにつれて、付勢機構７６ｂに接続されている板バネ７６ａ（図９参照）が撓んでいた状態から自然状態へ戻ろうとし、板バネ７６ａに取り付けられた枢支機構７６ｄと枢支機構７６ｄに取り付けられた下部閉塞部材１２を上方へ移動させる。押圧部７６ｃが所定の突出幅を突出可能な扉体７の開放が行われると、扉体７の下部閉塞部材１２が下部フレーム７５（図９参照）内に収納される。
【００４９】
このように、枠体２は、押圧部７６ｃと摺動杆８８との間に変換部材８９を備え、変換部材８９は、摺動杆８８に傾斜状態で摺接される摺接面８９ｂと、押圧部７６ｃに当接可能なラバーキャップ８９ｃと、を備えていることから、摺動杆８８の上下動が、傾斜状態の摺接面８９ｂに摺動杆８８が摺接し、変換部材８９が水平方向に移動され、ラバーキャップ８９ｃを押圧部７６ｃに当接させるので、摺動杆８８と変換部材８９がそれぞれ拘束されない状態で移動でき、繰り返し使用されても変換部材８９の一部に負荷が集中し難いことから、摺動杆８８を下降させることで、枠体２の床面Ｆとの固定と、扉体７の下部閉塞部材１２の下降とを連動して行いつつ、耐久性の高い扉体付き移動式間仕切パネル１を提供することができる。
【００５０】
加えて、摺動杆８８と変換部材８９がそれぞれ拘束されない状態で移動できるので、扉体７の下部閉塞部材１２と枠体２の下部閉塞部材１３との押圧力を個別に調整しやすくなっている。
【００５１】
下部棒８６を昇降させる一連の操作によって、扉体７の下部閉塞部材１２の閉塞状態と落し棒８６ａの挿脱状態とを連動させているので作業性に優れる。さらに、この下部棒８６を昇降させる一連の操作によって、枠体２の下部閉塞部材１３の挿脱状態も連動させているので極めて作業性に優れる。
【００５２】
変換部材８９の貫通孔８９ａは、軸９２によって枠体２に揺動可能に軸支されており、変換部材８９の備えるラバーキャップ８９ｃは、押圧部７６ｃに対峙されるように配設されていることから、摺動杆８８の上下の移動量を利用して他端側の左右の動き幅を増幅できる。
【００５３】
変換部材８９は、摺動杆８８の境界線８８ｈ（図８参照）が変換部材８９の回動中心よりも下方に位置（図１０（ａ）と（ｂ）の間に位置）すると揺動を開始するようになっており、揺動が完了する位置（図１０（ｃ））における境界線８８ｈ（図８参照）が変換部材８９の回動中心までの距離Ｃ３は、変換部材８９の回動中心からラバーキャップ８９ｃまでの距離Ｌ（図８参照）よりも十分に小さい（Ｃ３＜Ｌ）ので、いわゆる梃子の原理によって変換部材８９の他端側の左右の動き幅を増幅できるようになっている。操作の確実性を考慮するとＬはＣ３の３倍以上好ましくは１０倍以上の長さとするとよい。
【００５４】
変換部材８９の摺接面８９ｂが、摺動杆８８の操作方向に対して、４５度以下に設定されていることから、摺動杆８８の上下動を左右方向に変換させる効率が良く、操作性が良い。当該角度は確実な操作性という観点からは好ましくは２０度以下がよい。
【００５５】
摺接面８９ｂの傾斜状態は、摺動杆８８の操作方向に対して、４５度以下の所定の角度から０度の角度まで漸次変化されるようになっていることから、変換部材８９の摺接面８９ｂが摺動杆８８によって摺接され０度になると、以降は摺動杆８８に摺接されても変換部材８９の角度が変化しないので、変換部材８９の他端側の扉体７側への過侵入を防止できる。
【００５６】
摺動杆８８に傾斜面８８ｃを設けていることから、下部棒８６を上昇した状態では、変換部材８９の摺接面８９ｂが面当接し、変換部材８９を移動を安定して規制することができる。
【００５７】
落し棒８６ａの下端は、床面Ｆに設けられた穴に挿通されるフランス落しであることから、落し棒８６ａを下降させることで枠体２と床面Ｆを強固に固定させることができる。
【００５８】
操作ロッド８８の傾斜面８８ｃが、操作ロッド８８の動作方向に対して、４５度以下に傾斜されていることから、変換部材８９に対してスムーズに当接でき、変換部材８９を左右へ揺動させることができる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、摺動杆８８を設けず、下部棒８６の下端乃至側端が直接、変換部材８９を揺動させる構造としてもよい。なお、摺動杆８８を別途設ければ下部棒８６を特殊な形状とすることがない。
【００６１】
また、変換部材８９は板形状のものについて説明したが、摺動杆８８に傾斜状態で摺接される摺接面を有していればよく、例えば平面視扇形、三角形であってもよい。
【００６２】
また、変換部材８９は軸９２によって軸支され、揺動可能に設けられる例について説明したが、揺動可能に設けられることは必須ではなく、例えば軸支することなくスライド移動可能に設けられていてもよい。
【００６３】
また、変換部材８９は大部分が縦角管２５ｂ内に収容される例について説明したが、縦角管２５ｂ外に取付けられるものであってもよい。
【符号の説明】
【００６４】
１                扉体付き移動式間仕切パネル
２                枠体
７                扉体
１０              移動間仕切装置
１２              下部閉塞部材
１３              下部閉塞部材
２５ａ，ｂ        縦角管
７５              下部フレーム
７６ａ            板バネ
７６ｂ            付勢機構
７６ｃ            押圧部（押圧部）
７６ｄ            枢支機構
８１              揺動部材
８２ａ            軸
８３              バー部材
８６              下部棒（操作ロッド）
８６ａ            落し棒（操作ロッド）
８６ｂ            受け具
８８              摺動杆（操作ロッド）
８８ｂ            鉛直面
８８ｃ            傾斜面
８９              変換部材（変換部材）
８９ｂ            摺接面（摺接面）
８９ｃ            ラバーキャップ（当接面）
Ｆ                床面
【図１】
2020105852.tif 000003
【図２】
2020105852.tif 000004
【図３】
2020105852.tif 000005
【図４】
2020105852.tif 000006
【図５】
2020105852.tif 000007
【図６】
2020105852.tif 000008
【図７】
2020105852.tif 000009
【図８】
2020105852.tif 000010
【図９】
2020105852.tif 000011
【図１０】
2020105852.tif 000012
【図１１】
2020105852.tif 000013